Podtech/llm-jp-corpus-v4-ja_patent huggingface dataset:
(57)【要約】【課題】本発明は電着植毛されたトルマリン突起加工物の製造方法に関する。ことにトルマリンの効能を最大限に活かす含有率５０％以上の電着加工されたトルマリン突起加工ものの製造方法を提供する。従来のトルマリン加工物は皮膚の痒み、かぶれなどを誘引しやすかった。【解決手段】数ミクロンのトルマリン粉粒体を接着剤（アクリル系、水溶系溶剤系接着剤など）と混合し、基材（布、プラスチック、木質、金属、など材質を問わない）にスクリ−ン塗布することによって含有率が５０％以上のトルマリン突起加工物を製造し、それらのトルマリン突起加工ものを電着植毛することにより、皮膚の痒みかぶれを誘引しない、トルマリンの特性を最大限に活かす健康用具を製作できる。【選択図】図２
2008150764.tif 000002
【特許請求の範囲】
【請求項１】
数ミクロンのトルマリン粉粒体を接着剤と混合する。
接着剤はアクリル系、水溶性、溶剤系接着剤など問わない。それに電着植毛を施す。そのように形成されていることを特徴とする電着植毛されたトルマリン突起加工物の製造方法である。
【請求項２】
請求項１の接着剤と混合されたトルマリン粉粒体を基材（布、プラスチック、木質、金属など材質を問わない）にスクリ−ン塗布をしてトルマリン突起を基材の表面に露出状態で形成する。０，２ミリ以上の突起加工が可能である。それに電着植毛を施す。そのように形成されていることを特徴とする電着植毛されたトルマリン突起加工物の製造方法である。
【発明の詳細な説明】
【発明の詳細な説明】
【技術分野】
【０００１】  本発明はトルマリンを手軽に、あらゆる場所に関するところで使用するための電着植毛されたトルマリン突起加工物の製造方法である。
【背景技術】
【０００２】従来トルマリン突起は色々な健康用具に使用されている。
【発明が解決しようとする課題】
【０００３】上記従来のトルマリン突起加工物は、直接肌に触れると痒みやかぶれがでることがあり、トルマリンの持つ効力を十分に発揮しない。
【課題を解決する手段】
【０００４】本発明はトルマリン鉱石の持っている効能を最大限に発揮するために考案されたものである。トルマリン鉱石をミクロン単位の粉粒体に粉砕したものと、接着剤（アクリル系、水溶性、溶剤系接着剤など）を混合することによって、トルマリン含有率が５０％以上のトルマリン加工物を作る。既に知られているトルマリンの効能を列挙すれば次の如くである。トルマリンの特性として知られているマイナスイオン発生と、遠赤外線の発生という相乗効果に加えて、殺菌、抗菌作用、ヒドロキシルイオンの界面活性効果による洗浄作用、細胞の活性化促進作用など身体の新陳代謝と血行の促進っを図ることである。本発明はこのトルマリンの効能を最大限に活かすために、トルマリン含有率が５０％以上の突起加工物に電着植毛したものである。そのように形成されていることを特徴とする電着植毛されたトルマリン突起加工物の製造方法である。
【０００５】その二つは、上記の接着剤（アクリル系、水溶性、溶剤系接着剤など）と混合されたトルマリン粉粒体を基材（布、プラスチック、木質、金属など材質を問わない）にスクリーン塗布し、その後乾燥（自然乾燥、強制乾燥など）してトルマリン突起の層を基材の表面に露出状態で形成する。それに電着植毛を施工する。そのように形成されていることを特徴とする電着植毛されたトルマリン突起加工物の製造方法である。
【発明を実施するための最良の形態】
【０００６】以下、本発明の実施例について説明する。まず基材の材質は布、プラスチック、木質、金属等特に材質を制限する必要はない。【０００７】図１〜図３の本発明の実施例において、（１）は基材、（２）は電着植毛されたトルマリン突起加工物である。図１は電着植毛されたトルマリン突起加工物を基材に塗布した状態の斜視図である。図２は図１の断面図である。図３は電着植毛されたトルマリン突起加工物をサポータ−に貼り付けた本発明の一実施例である。【０００８】基材には電着植毛されたトルマリン粉粒体が塗布されており突起を形成している。突起物のみで疲労を緩和する指圧効果がある。【０００９】また電着植毛されたトルマリン突起加工物と肌が接触することによって、マイナスイオン、遠赤外線が発生し、皮膚が擦られて清潔になる働きのほか細胞の活性化を促進し、血行もよくなるという効果がある。
【図面の簡単な説明】
【図１】本発明の電着植毛されたトルマリン突起加工物を布の基材に塗布した一実施例の斜視図
【図２】図１の断面図
【図３】本発明を応用の一実施例の斜視図
【符号の説明】
１、基材
２、電着植毛されたトルマリン突起加工物
【図１】
2008150764.tif 000003
【図２】
2008150764.tif 000004
【図３】
2008150764.tif 000005
(57)【要約】【課題】従来、市販されている股上の浅いジーンズやパンツでは、腰下ベルトのファッションは楽しめても、アンダーウェアーが見えてしまう点や、腹部や腰を冷やしてしまうという点に於いては、あらゆる世代への対応が不十分であった。また、通常のパンツに、腰の下の方へベルトをただ巻いただけでは、活動するうちにずれたり曲がってしまったりと不便な点が多かった。【解決手段】ジーンズ・パンツ・ズボン・スラックス等の、股からウエストまでの間の中間部位ほどに、１〜数ヶ所のベルト通しを取り付けることで、腹部や腰部を冷やす事無く流行の腰下ベルトを、特に安価で、容易に固定可能とする。【選択図】図１
2008150762.tif 000002
【特許請求の範囲】
【請求項１】
ジーンズ・パンツ・ズボン・スラックス等の、股からウエストまでの間の中間部位ほどに、１〜数ヶ所のベルト通しを取り付けることで、腹部や腰部を冷やす事無く流行の腰下ベルトを安価で固定可能とする。
【発明の詳細な説明】
【技術分野】
【０００１】本考案での第一の特徴は、流行の腰下ベルトを、どの様な形のパンツに対しても安価で容易に固定可能とするという点にある。従来のハイウエストのパンツであっても、後部や前部に１〜数ヶ所のベルト通しを中段ほどに取り付ける事により、腰下ベルトを固定可能とし、腰や腹部を冷やすことなく、多様なファッションを楽しめる様になる。二段ともベルトを付けたり、ベルト有り・ベルト無し、などの選択肢も拡がる。
【背景技術】
【０００２】従来、市販されている股上の浅いジーンズやパンツでは、腰下ベルトのファッションは楽しめても、アンダーウェアーが見えてしまう点や、腹部や腰を冷やしてしまうという点に於いては、あらゆる世代への対応が不十分であった。
【発明の開示】
【発明が解決しようとする課題】
【０００３】股上の深いパンツに、腰の下部にベルトを上から直接巻くことで、流行の腰下ベルトファッションも出来るが、どうしても活動するうちにずれたり、曲がったりと、機能性に欠ける点があった。また、従来の股上の浅いパンツでは、アンダーウェアーが見えてしまったり、腹部や腰部を冷やしてしまうという欠点があった。
【課題を解決するための手段】
【０００４】ジーンズ・パンツ・ズボン・スラックス等の、股からウエストまでの間の中間部位ほどに、１〜数ヶ所のベルト通しを取り付けることで、腹部や腰部を冷やす事無く流行の腰下ベルトを安価で固定可能とする。
【発明の効果】
【０００５】股上の深いパンツや、様々な型のパンツやジーンズの、股上の中段部分に、ベルト通しを１〜数ヶ所、設けることにより、腰下ベルトをしっかりと固定することができ、あらゆるパンツやベルトとの組み合わせのファッションが容易に可能となる。ベルト通しが無い状態でベルトを着けた場合は、ベルトがずれたり曲がったりする不具合が生じ、活動する上で不便であったが、このベルト通しがあることで、安心して活動でき、ファションを楽しむことが出来る様になる。さらに、アンダーウェアーが見えてしまう心配や、腹部・腰部を冷やすこともなくなり、健康面でも不利益を生じなくなる。よって、年配層でも腰ベルトファションを容易に取り入れることが出来る様になる。また、ウエスト部分のベルト通しを使う場合と、腰下部分のベルト通しを使用する場合とで、２通りの着け方を選択することも出来る他、２段ともにベルトを通すなどバリエーションが拡がる。以上の様に、健康面・機能面・ファッション性・デザイン性に於いても、グレードアップし多様化することが可能となる。そして、何よりの特徴は、低コスト・低作業で、腰下ベルト装着の実現が可能となることにある。
【発明を実施するための最良の形態】
【０００６】二段式の腰ベルト通しの装着位置は、最小数だとすると、尾てい骨辺りに一ヶ所である。二ヶ所の場合は、二ヶ所あるバックポケットの位置である。股上の中間部位に位置するバックポケットの中央上部に、一ヶ所ずつ、計二ヶ所、ベルト通しを付ることで、御洒落でかつ目立ちにくく違和感なく装着可能となる。ベルトを通しても、通さなくてもアクセントとなり、定番商品と成り得る。（図１）また、上記の一ヶ所プラス二ヶ所で、計三ヶ所にベルト通しを付けてもよい。（図２）または、両脇と前部に二ヶ所、後部に三ヶ所で、最大で七ヶ所まで装着可能である。（図３）いずれにしても、あらゆる既存のパンツやデニムにベルト通しを付けるだけという低コスト・低作業で、ずれにくい固定できる腰ベルトファッションの実現が可能となる。さらに、ベルト通しのデザインや柄を変えることで、アクセントを持たせることも可能である。
【図面の簡単な説明】
【０００７】
【図１】当発明の平面図、後部二ヶ所の場合
【図２】当発明の平面図、後部三ヶ所の場合
【図３】当発明の平面図、前後部七ヶ所の場合
【図１】
2008150762.tif 000003
【図２】
2008150762.tif 000004
【図３】
2008150762.tif 000005
(57)【要約】【課題】      洋服、床を汚すことなく食事ができる【解決手段】  ひも４を首の後ろから回し前肩で留め、受皿２で食べこぼしを受けることができる【選択図】図１
2008150763.tif 000002
【特許請求の範囲】
【請求項１】
エプロンの裾をびょうぶ畳にし、それを開くことで食べこぼしを受ける受皿部を形成されることを特徴としたエプロン。
【請求項２】
首入穴を作る際、切り取ってしまわず表あるいは裏へ折り返すことで胸の部分を二重に厚くなることを特徴としたエプロン。
【請求項３】
装着ひもは首の後ろを回り前肩で留めることを特徴としたエプロン。
【発明の詳細な説明】
【発明の詳細な説明】
【技術分野】
【０００１】  この発明は食べこぼしを防止するための使い捨てエプロンである。
【背景技術】
【０００２】  従来の使い捨て食べこぼし防止エプロンは胸の部分が薄く食べこぼしなどですぐべたべたになり、また受皿も使用中に閉じられてしまうことが多かった。
【発明が解決しようとする課題】
【０００３】  したがって、胸の部分を厚くし、食べこぼしも大きな深い受皿で受けられ、しかも、食事が終わるまで受皿の口がしっかり開いている使い捨てエプロンが求められている。
【課題を解決するための手段】
【０００４】  このような課題を解決するために本発明による使い捨てエプロンにおいては、ほつれない性質を有するシート材からなり着用者に装着するひも部４とその下に首を入れる首入穴３を形成し、３は切り取らずにミシン目により表又は裏に折り返し５できるようにし、エプロン本体の裾部２には受皿を形成する受皿部から構成されるものである。
【発明実施の形態】
【０００５】  本発明の実施形態に係るエプロンを図１〜図３に基づいて説明するとエプロンは、ほつれ防止シートからなり、首を入れる首入穴３は切り取らずにミシン目８により、表または裏へ折り返し５とする。ひもの先端６は首の後ろを回り前肩７に粘着テープまたはオス部材、メス部材で付けるようにする。裾２は山折２ａ谷折２ｂのびょうぶ畳とし、装着してから手で開くと受け皿の大きさ・深さを自由に船底型に作る形状を有している。
【発明の効果】
【０００６】  以上、説明したように本発明に係る使い捨てエプロンにおいて胸部が二重になっているので汚れたらすぐ一枚切り離すことができるので介護を必要とする方子供向けによく、またレストラン結婚式場などで使用する際は二重にしなくて良い。裾の受皿部はびょうぶ畳により形成されているので受皿部の大きさ深さを自由に手で作ることが出来る。収納もびょうぶ畳なのでかさばらず使い捨てエプロンとして用途が広い。
【図面の簡単な説明】
【図１】  裁断図
【図３】  使用状態を示す正面図
【符号の説明】
１  本体
２  受皿部
３  首入穴
４  ひも
５  ３の折り返し部
６  粘着部分
７  粘着部分
８  ミシン目
【図１】
2008150763.tif 000003
【図２】
2008150763.tif 000004
【図３】
2008150763.tif 000005
【手続補正書】
【提出日】平成19年3月15日(2007.3.15)
【手続補正１】
【補正対象書類名】特許請求の範囲
【補正対象項目名】全文
【補正方法】変更
【補正の内容】
【特許請求の範囲】
【請求項１】
エプロンの裾をびょうぶ畳にし、それを開くことで食べこぼしを受ける受皿部を形成されることを特徴としたエプロン。
【手続補正２】
【補正対象書類名】明細書
【補正対象項目名】全文
【補正方法】変更
【補正の内容】
【発明の詳細な説明】
【発明の詳細な説明】
【技術分野】
【０００１】  この発明は食べこぼしを防止するための使い捨てエプロンである。
【背景技術】
【背景技術】
【０００２】  要介護者また子供は食事中食べこぼし、洋服、床などを汚すのでその後始末が大変である。従って使い捨てエプロンにし、食べこぼしを受ける大きな受け皿をびょうぶ畳により形成した。【０００３】  従来の食べこぼし防止エプロンは受け皿が食事中に閉じられてしまうことが多かった。【０００４】  従来より食事中に使用される受け皿付きエプロンはいろいろある。
例えば実用新案登録  第３０６７６１４号には、図３に示すようにエプロン本体（１）の下端部を折り返し食べこぼしたものを受けるポッケト（４）を形成し、ポケットの左右端の上部をエプロン本体（１）にホック４ａで着脱自在に係止し、またポケット（４）の左右端下部（４ｂ）を糸でエプロン本体（１）に縫いつけている
着用するとポケットに食べこぼしが入りホックをはずすと洗濯も楽にできる。
【特許文献１】実用新案登録第３０６７６１４号  図３
【発明が解決しようとする課題】
【０００５】食事が終わるまで受け皿の口が大きくしっかり開いている使い捨てエプロンが求められている。
【課題を解決するための手段】
【０００６】課題を解決するために本発明による使い捨てエプロンにおいては、ほつれない性質を有するシート材からなり、着用者に装着する紐部（４）とその下に首孔（３）を形成し、裾部（２）には数本のびょうぶ畳を折り、びょうぶ畳の両端（７）をとめることで受け皿を形成する受け皿部から構成されるものである。また紐（４）は着用者の首の後ろを回り前肩で留める。
【発明実施の形態】
【０００７】  本発明の実施の形態について説明するとエプロンは、ほつれ防止シートから成り紐の先端（５）は首の後ろを回り前肩（６）に粘着テープまたはメス部材、オス部材で付けるようにする。裾（２）は山折２ａ谷折２ｂの数本のびょうぶ畳としその両端（７）をとめておく。装着してからびょうぶ畳を手で開くと受け皿の大きさ深さを自由に舟底型に作る形状をしている。
【発明の効果】
【０００８】以上説明したように本発明による使い捨てエプロンにおいて、びょうぶ畳の受け皿が食事を終えるまでしっかと大きく開いているので食べこぼしを防止することが出来る。
【０００９】要介護者また子供向けに適し、着用者が受け皿を開くことが出来るので介護を必要とする方は手のリハビリ、頭のリハビリになり、また２歳位の子供でも遊びながら受け皿を作ることが出来る。
【図面の簡単な説明】
【図１】  本発明の平面図
【図２】  受け皿の斜視図
【図３】  従来例のポケット形成タイプの食事用エプロンを示す平面図
【符号の説明】
１  エプロン本体
２  受け皿部    ２ａ山折、２ｂ谷折
３  首孔
４  紐
５  粘着部
６  粘着部
７  びょうぶ畳の左右の留め
【手続補正３】
【補正対象書類名】図面
【補正対象項目名】全図
【補正方法】変更
【補正の内容】
【図１】
2008150763.tif 000006
【図２】
2008150763.tif 000007
【図３】
2008150763.tif 000008
(57)【要約】【課題】柵やデッキ等に使用した合成木材が、太陽熱等の環境状態による、タワミやヒネリを抑え、伸縮可能で経済的な補強方法を提供する。【解決手段】本発明の合成木材補強方法は、中空タイプの合成木材の中に異形棒鋼を入れ、モルタルを充填させることによって、合成木材の変形を抑える強度を保ち、伸縮を可能にする。【選択図】図１
2008150928.tif 000002
【特許請求の範囲】
【請求項１】
中空タイプの合成木材の中にモルタルを充填させ、そのモルタルが硬化することによって合成木材のタワミやヒネリの変形を抑えつつ、合成木材の伸縮を可能にする。
【請求項２】
充填したモルタルの中に異形棒鋼を入れることによって、モルタルの割れを防ぎ、モルタルと異形棒鋼を使用することで低コスト化が可能になった。
【発明の詳細な説明】
【技術分野】
【０００１】本発明は、風雨や太陽熱等による中空合成木材のタワミやヒネリ等を抑える事に関する。
【背景技術】
【０００２】柵やデッキ等に中空合成木材を使用する時は、中に鋼管を入れて補強していた。しかし、接合部や、ボルト穴等からの漏水があるため、鋼管はメッキ処理か、鋼管の表面はもちろん裏面まで防錆塗装しなければならない。これではコストが高くなってしまう。
【発明の開示】
【発明が解決しようとする課題】
【０００３】中空合成木材の伸縮可能な補強と大幅なコストダウンを目的としたものである。
【課題を解決するための手段】
【０００４】本発明の中空合成木材補強方法は、中空部にモルタルを充填し、硬化させることによって、自然環境での合成木材を変形させない強度を保つ。【０００５】合成木材の変形を抑えつつ、伸縮を可能にする。【０００６】中空部にモルタルを充填させるだけではモルタルが割れるおそれがあるので、モルタル充填時にあらかじめ異形棒鋼を入れておき、モルタルの割れと、強度を保つ。【０００７】メッキ処理や防錆塗装した鋼管の変わりに、モルタルと異形棒鋼を使用するので、大幅なコストダウンが可能になった。
【発明の効果】
【０００８】本発明の中空合成木材補強方法は、モルタルと異形棒鋼を用いたことで、十分な強度を保ち、低コスト化を実現した。
【発明を実施するための最良の形態】
【０００９】図面によって中空合成木材補強方法を説明する。図１において合成木材柱１を加工して鉄線４を巻いた異形棒鋼３を入れ、プレート８を差し込んでおく。プレート８に合成木材横木２を差込、トラスボルト７で固定する。高さと通りを確認後、合成木材柱１にモルタル６を充填させる。充填後、キャップ９をボンド等で接着させて蓋をする。【００１０】合成木材横木２のモルタル５充填方法は、合成木材横木２の小口にモルタル止め金物６を入れ、縦向きにしてモルタル５を充填させる、この時、鉄線４を巻いた異形棒鋼３を必ず入れておく。充填後、もう一方の小口にモルタル止め金物６で蓋をする。硬化後、現場へ運搬し、組み立てる。【００１１】図２においてプレート８の真中にズレ止め１０の穴を空けておく。そうする事によってモルタル５が硬化後、プレート８が完全に固定される。
【産業上の利用の可能性】
【０００１２】本発明は柵や、デッキ等に使用した中空合成木材の変形を抑える方法に関する。
【図面の簡単な説明】
【図１】は補強方法の側面断面図。
【図２】は補強方法の平面断面図。
【符号の説明】
１、    合成木材柱。２、    合成木材横木。３、    異形棒鋼。４、    鉄線。φ４。５、    モルタル。６、    モルタル止め金物。ｔ６。７、    トラスボルト。Ｍ８８、    プレート。ｔ６９、    合成木材キャップ。１０、  ズレ止め穴。
【図１】
2008150928.tif 000003
【図２】
2008150928.tif 000004
(57)【要約】      （修正有）【課題】従来、道路等において、すでに設置されている歩車道境界ブロックの上部に物品を設置する場合、ブロックの上部をドリルで削孔しオールアンカー等を打ち込みボルトにて物品を固定、設置していた不便を解決すること。【解決手段】歩車道境界ブロック１を工場で制作する時点で、ブロックの上部に長いナットで形成された取り付け金物２を埋め込み設置しておくことでこの課題を解決する。【選択図】図３
2008150932.tif 000002
【特許請求の範囲】
【請求項１】
ブロックの上部に物品を取り付けることを目的とした長いナットで形成された取り付け金物を埋め込み設置した歩車道境界ブロック。
【発明の詳細な説明】
【技術分野】
【０００１】  本発明は道路等に設置された歩車道境界ブロックの上部に関するものであり、ブロックの上部に長いナットで形成された取り付け金物を埋め込む事によりブロックの上部に物品をボルトにて設置するのを容易にするものである。
【技術背景】
【０００２】  従来、道路等において、すでに設置されている歩車道境界ブロックの上部に物品を設置する必要が生じた場合、ブロックの上部をドリルで削孔しオールアンカー等を打ち込みボルトにて物品を固定、設置していた。
【発明の開示】
【発明が解決しようとする課題】
【０００３】  しかし、この様な設置方法では、物品の設置に手間取り効率が悪く費用もかなり掛かかり、ドリルによりブロックを破損することもある。
【課題を解決するための手段】
【０００４】  そこで、この課題を解決する手段として、歩車道境界ブロックを工場で制作する時点でブロックの上部に長いナットで形成された取り付け金物を埋め込み設置しておく。
【発明の効果】
【０００５】  この発明より、道路等の歩車道境界ブロック新設時にこのブロックを設置しておけば、その歩車道境界ブロックの上部に物品の設置が必要となった場合には、組み込まれた取り付け金物を利用する事で設置が容易であり費用も掛からないし破損の心配もない。
【産業上の利用可能性】
【０００６】  工事生産が可能のため、これから施工される新設道路等にこの歩車道境界ブロックを設置しておく事により今後このブロック上部に物品を設置する必要性が生じた場合、その施工が容易であり費用も掛からない。
【図面の簡単な説明】
【０００７】
【図１】  本発明の正面図である。
【図２】  本発明の上面図である。
【図３】  本発明の側面図である。
【符号の説明】
【０００８】  １  歩車道境界ブロック
２  埋め込み設置した長いナットで形成された取り付け金物
【図１】
2008150932.tif 000003
【図３】
2008150932.tif 000004
【手続補正書】
【提出日】平成19年2月28日(2007.2.28)
【手続補正１】
【補正対象書類名】図面
【補正対象項目名】図１
【補正方法】変更
【補正の内容】
【図１】
2008150932.tif 000005
【手続補正２】
【補正対象書類名】図面
【補正対象項目名】図２
【補正方法】変更
【補正の内容】
【図２】
2008150932.tif 000006
(57)【要約】【課題】納豆を食べる時、茶碗にねばねばがつき落とすのに水洗剤等を多量に使用しなければ落ちなく、経済的にも環境の面でも好ましくない。【解決手段】納豆容器をそのまま使い、ご飯を食べる事が出来る茶碗等の大きさにする。また、容器内に中蓋を作り数段重ねられるようにする。【選択図】図２
2008150108.tif 000002
【特許請求の範囲】
【請求項１】
納豆容器（発泡スチロール等）に、ご飯を入れて食べる事が出来る茶碗型等の大きさにする。また、納豆容器内に中蓋を作り数段重ねられるようにすると、場所もとらず陳列もしやすくなる。
【発明の詳細な説明】
【技術分野】
【０００１】納豆を食べる時、納豆容器にご飯を入れて食べる事が出来るように容器を大きくする。場所、陳列しやすいように中蓋を付ける事により数段重ねる事が出来る。
【背景技術】
【０００２】徒来は、納豆容器は小さく、納豆を入れてあるだけの物である。
【発明の開示】
【発明が解決しようとする課題】
【０００３】納豆を食べる時、茶碗へ納豆を移して食べる為、茶碗にねばねばが付き落とすのに苦労し、水、洗剤も大量に使うので不経済で環境にも良くない。
【課題を解決するための手段】
【０００４】納豆容器に、ご飯を入れて食べられる大きさにする。また、茶碗型等する事によって食べやすくする事が出来る。容器内に中蓋を作り、中蓋容器側に溝を設けることにより、中蓋がより安定する事ができ、容器を数段重ねる事が出来る。
【発明の効果】
【０００５】納豆容器内にそのままご飯を入れて食べられるようになり、徒来は茶碗にねばねばが付き落ちにくく、水洗剤を多量に使用しなければ綺麗に洗う事が出来なかったが、洗う事なく水、洗剤も使用せず経済的で環境にも優しくなった。また、容器内に中蓋を作る事によって数段重ねることが出来、場所もとらず陳列もしやすくなった。
【図面の簡単な説明】
【０００６】
【図１】    納豆容器の断面図である。
【図２】    納豆容器を３段重ねた時の断面図である。
【符号の説明】
１  納豆容器本体
２  中蓋
３  納豆
【図１】
2008150108.tif 000003
【図２】
2008150108.tif 000004
(57)【要約】【課題】    現在、残留農薬、農薬の使いすぎ等の問題が大きくなっている。また、農薬散布後の、受粉用の昆虫に対して問題が多く、残効性の影響で動きが悪くなる等の課題がある。また、植物体への、硝酸体窒素の蓄積等の問題がある。【解決手段】  酸化チタン等光触媒能を有する組成分を配合することにより、農薬等の早期分解、菌等に対する抑止力として働き、残留農薬の軽減、使いすぎ等に効果がある。また、チタンイオンを含有させることにより、硝酸体窒素の軽減、葉緑体の増加、甘み成分、栄養成分等の増加に効果がある。【選択図】なし【特許請求の範囲】
【請求項１】
酸化チタン等光触媒能を有する成分を含有し、かつ植物栄養剤、葉面散布剤、農薬成分を含む、光触媒配合組成物。
【請求項２】
植物に、経根，葉面から吸収させる目的で組成分として、チタンイオンを含む植物栄養剤、葉面散布剤等組成物。
【請求項３】
成分中に、酸化チタンを凝集させない成分として、有機アルカリ、無機アルカリ、有機酸、無機酸、界面活性剤、分散剤等を含み、使用希釈時の酸化チタン等光触媒能を有する成分の凝集、沈殿、失活を防止するものを含有するもの。
【発明の詳細な説明】
【技術分野】
【０００１】  本発明は、植物に必要な栄養素、または、殺菌殺虫剤としての成分を含み、かつ酸化チタン等光触媒能を有する成分を含有させることにより、植物体の栄養補給の成分と共に残留農薬や細菌、害虫を光触媒効果で低減させるものである。また、最近の研究結果から、植物の硝酸体窒素の低減や、葉緑体の増加、甘み成分の向上にチタンイオンが関与しているとの研究結果がある。
【背景技術】
【０００２】  植物栽培全般特に農業関係で、栄養剤的な形での葉面散布。殺菌剤、殺虫剤の散布は通常行われている。また、肥料等の成分としてＴｉは、不純物として入っていることはあっても故意に、植物体にとって有効な成分として認められていない成分である。【０００３】  特に夏場の植物体の熱さでの収穫量の減には、微量成分等の葉面散布の効果があると言われている。また、農薬散布も病気、害虫に対して行われていることである。
【発明が解決しようとする課題】
【０００４】  しかしながら、農薬散布による残留農薬問題、残留農薬によって受粉用の昆虫への影響等が以前から問題になっている。また、植物体中への、硝酸体窒素の蓄積等による弊害（エグミ、苦味）も起こってきている。
【課題を解決するための手段】
【０００５】  これらの問題を解決するために、植物栄養剤、葉面散布剤、農薬等の成分と共に酸化チタンを含有させて、光触媒効果により植物体表面の細菌、ウィルス、虫等病気食害を引き起こす物を、分解無効力化するようにしたものである。また、植物体中への、硝酸体窒素の蓄積等による弊害の防止、葉緑体の増加の目的で、チタンイオンを含有させ、経根、葉面吸収により植物体へ供給する。
【０００６】  光触媒成分を含有させることにより、農薬成分と含有させることにより農薬成分の残留を短くすることができる。
なぜなら、細菌等も農薬も有機物で構成されており、光触媒で、有機物を分解して殺菌、殺虫、残留農薬低減が可能となる。このように、病原、食害源を減らすことができ、かつ残留農薬等も低減することができる。
【０００７】  また、チタンイオンを含有させることにより、硝酸体窒素の低減、葉緑体の増加が期待され、ひいては、甘み成分、栄養成分等の増加を図ることができる。
【発明を実施するための最良の方法】
【０００８】  以下本発明について説明する。
【０００９】植物体に経根または、葉面、茎から吸収させる目的で水溶性の成分（植物体の生育、収量、食味、発色等に有効となる成分。たとえば、アミノ酸、カルシウム等のような成分（肥料成分。）を１成分以上、または、殺菌、殺虫成分を有する成分を含有するもの。植物体に対し有効となる水溶性成分と殺菌、殺虫成分を有する成分が２種類以上含んでいても良い。
【００１０】  これらのものを第１成分とし故意に含有させ、第２成分として、酸化チタン粒子を分散懸濁させたもの。または、光触媒能のような効果を発揮する成分。これらを１種類以上含んでいる物。
【００１１】  酸化チタン粒子または、光触媒能のような効果を発揮する成分は、０．０１μｍから２０μｍ好ましくは、０．０５μｍから５μｍ程度の１次粒子径を持つアナターゼ型の結晶を有したもの。光触媒能を有する成分は効果が最大限に発揮できるようにしたもの。または、使用希釈時に水にこの大きさで分散するもの、効果が最大限に発揮するようにしたものでも構わない。
【００１２】  第３成分として、第２成分である酸化チタン等光触媒能を有する成分が、保存状態や使用時期までの間、凝集して粒子径が大きくならないようにする凝集防止剤として、有機アルカリ、無機アルカリ、有機酸、無機酸、分散剤等を添加して、ｐＨを０から５または、７から１３好ましくは、２から４または、９から１０にする。また、分散助剤として、界面活性剤等を添加することもできる。
【００１３】  凝集粒子が発生すると、散布装置の目詰まり、表面積低下による光触媒効果の低下、葉面等植物体への酸化チタン汚れに因る、気孔詰まり、日光遮断による光合成阻害等が、懸念される。
【００１４】  上記組成物と硫酸チタン、塩化チタン、硫酸チタニル等、チタン化合物をＴｉ成分として１ｐｐｂ以上散布時に含有させたもの。または、上記の酸化チタンのみの効果を期待して酸化チタンのみ、チタンイオンの効果を期待してチタンイオンのみ含有していてもかまわない。両方の効果を期待して、両方含有していてもかまわない。
【実施例】
【００１５】  酸化チタン５００ｇ（アナターゼ型パウダー粒子径約１０μの物）を、純水９５０ｇに投入し、それをボールミルを使用することにより５％酸化チタン含有、粉砕中心粒子径１．５μｍの酸化チタン水分散液を得た。
そのとき、塩酸を２．５ｇ添加してｐＨ３．５にしてボールミル処理を行った。【００１６】  上記、酸化チタン水分散液１リットル採り、４リットルのｐＨ３程度の微量成分入り葉面散布剤（市販品（株）マーク製植物活力Ｌ）に攪拌しながら混合した。【００１７】  これに、硫酸チタンを、３ｐｐｍになるように適量混合攪拌した。
【発明の効果】
【００１８】  これを、１０００倍希釈して展着剤（商品名アプローチ）を使用しビオラに散布した（週１回程度）。凝集による汚れ、チタンイオン等による葉焼け等は見られなかった。
【００１９】  また、通常の栽培をしている物と比較して、２ヵ月後約１．５倍から２倍の株の大きさになった。
【００２０】  また、これを、うどんこ病が少し見られるバラに散布したところ２日から３日程度で、うどんこ病特有の白い菌糸等が消えて赤褐色になった。これは、酸化チタンがうどんこ病を攻撃したものである。
【産業上の利用可能性】
【００２１】  現在の農業（植物栽培）に、葉面散布剤、農薬等は必須の物となっている。これらと酸化チタン等光触媒能を有する成分を、併用すれば、減農薬化に効果を表すことができる。また、同時に散布することができれば、省力化にもつながる物である。
(57)【要約】【課題】各種の樹脂の改質剤、架橋剤及び光学・電子材料などに用いられる低誘電率樹脂の原料として有用な４−アセトキシシクロヘキシルビニルエーテルの提供。【解決手段】2008150341.tif 000006で表される４−アセトキシシクロヘキシルビニルエーテル。 【選択図】図１
2008150341.tif 000002
【特許請求の範囲】
【請求項１】
4-アセトキシシクロヘキシルビニルエーテル
【請求項２】
請求項１に記載の化合物を用いた電子・光学材料用、多層基盤用の樹脂原料。
【請求項３】
各種の樹脂の改質剤や架橋剤としての利用。
【発明の詳細な説明】
【技術分野】
【０００１】
本発明は、新規なビニルエーテル並びにその製造方法及び用途に関し、更に詳しくは各種の樹脂の改質剤、架橋剤及び、光学・電子材料などに用いられる低誘電率樹脂の原料として有用な4-アセトキシシクロヘキシルビニルエーテルに関する。
【背景技術】
【０００２】
本発明に係る4-アセトキシシクロヘキシルビニルエーテルに関しては、ケミカルアブストラクト（Chemical Abstract）に記載が無く、また、本発明者等の知るかぎりでは、その他の文献にも記載が見当たらないので、この化合物は新規化合物であると考えられる。
【発明の開示】
【発明が解決しようとする課題】
【０００３】
本発明の目的は、4-アセトキシシクロヘキシルビニルエーテル並びにその製造方法及び用途を提供することにある。
【課題を解決するための手段】
【０００４】
本発明に従えば、式（Ｉ）：
【化１】
2008150341.tif 000003
（Ｉ）
で表されるビニルエーテルが提供される。
【発明の効果】
【０００５】
本発明に係る4-アセトキシシクロヘキシルビニルエーテルは、各種の樹脂の改質剤、架橋剤として有用であり、また、重合組成物は、分子内に比較的嵩高い骨格を持つための低誘電率性と硬化性、密着性、耐水性に優れる電子材料、光学材料等における低誘電率樹脂の原料として期待できる。
【０００６】
また、その重合組成物は、アセトキシ基を加水分解することにより、任意に水酸基を生じさせ、親水性を調節することができ、さらにこの水酸基をエステル化、ハロゲン化などをすることができるなど、電子材料、光学材料等の樹脂原料として期待できる。
【発明を実施するための最良の形態】
【０００７】
以下、本発明について詳しく説明する。
本発明に関わるビニルエーテル（Ｉ）は、次のような反応式に従って調製することができる。
【化２】
2008150341.tif 000004
本発明化合物の具体的な合成法としては、例えば、次のような方法を挙げることができる。
【０００８】
例えば、ガラス容器に原料のヒドロキシシクロヘキシルビニルエーテルと無水酢酸を入れ、反応触媒として例えば、ピリジンやジメチルアミノピリジン等の塩基触媒を添加する。
【０００９】
次いで、室温で攪拌することにより本発明の新規化合物である4-アセトキシシクロヘキシルビニルエーテルが生成する。
【実施例】
【００１０】
以下、実施例により本発明を詳細に説明するが、本発明はこれら実施例に限定されるものではない。
【００１１】
実施例１
ガラス製三口フラスコにヒドロキシシクロヘキシルビニルエーテル（日本カーバイド工業株式会社製、HCHVE）5.0g、無水酢酸11.3gを仕込み反応触媒としてジメチルアミノピリジン0.03g、ピリジン0.02gを添加した。室温で20時間攪拌した後、圧力3〜5mmHg、温度150℃で減圧蒸留することにより4-アセトキシシクロヘキシルビニルエーテルを収率77.3%で得た。
得られた化合物はNMR分析の結果、下記式で示される4-アセトキシシクロヘキシルビニルエーテルであった。
【化３】
2008150341.tif 000005
得られた4-アセトキシシクロヘキシルビニルエーテルのNMR結果を示す。
1H NMR
(CDCl3,400MHz)：σ ppm 6.32( dd, J
= 6.4 14.4 Hz ; c ), 4.84-4.78( m, 1H ; g ), 4.29( dd,  J = 1.6, 14.4 Hz, 1H ; a ), 4.02(
dd, J = 1.6, 6.4 Hz, 1H ; b ), 3.90-3.80( m,
1H ; d ), 2.03( s, 3H ; h ), 1.99-1.45( m, 8H ; e, f, i,
j ).  
【産業上の利用可能性】
【００１２】
本発明の4-アセトキシシクロヘキシルビニルエーテルは、各種の樹脂の改質剤、架橋剤として有用であり、また、重合組成物は、分子内に比較的嵩高い骨格を持つための低誘電率性と硬化性、密着性、耐水性に優れる電子材料、光学材料における低誘電率樹脂の原料として期待できる。
【００１３】
また、その重合組成物は、アセトキシ基を加水分解することにより、任意に水酸基を生じさせ親水性を調節することができ、さらにこの水酸基をエステル化、ハロゲン化などすることができ、電子材料、光学材料等の樹脂原料として期待できる。
【図面の簡単な説明】
【００１４】
【図１】実施例１の4-アセトキシシクロヘキシルビニルエーテルのＮＭＲチャートである。
【図２】実施例１の4-アセトキシシクロヘキシルビニルエーテルのIRチャートである。
【図１】
2008150341.tif 000007
【図２】
2008150341.tif 000008
(57)【要約】【課題】      現在市販されている自動変速機付自動車のほとんどが、高齢車やクルマに不慣れなドライバーがブレーキペダルとアクセルペダルを勘違いによって踏み間違いをしても気が付かず咄嗟に発進してしまう恐れがある。本発明はこのような点に鑑みて成されたもので、その目的は、高齢者やクルマに不慣れなドライバーがブレーキペダルとアクセルペダルの踏み間違いをなくすことで、安価で且つ安全に自動車を運転できるようにすることである。【解決手段】  従来の自動車のアクセルペダルとアクセルペダルの上にあるダッシュボードとの間を結ぶ線上に光電センサーを配設し、該センサー及びシフトポジションや車速の信号によって、アクセルペダル上にドライバーの足がある場合、ドライバーの耳元に近いセンターピラーに設けられたスピーカから音声にて警告を発することによってドライバーに注意を促すことを特徴としている。【選択図】図１
2008150011.tif 000002
【特許請求の範囲】
【請求項１】
高齢者やクルマに不慣れなドライバーの運転による自動変速機付自動車のアクセルペダルとブレーキペダルの踏み間違えを防止するため、ダッシュボードに配設された光電センサーの光線を遮断することにより、アクセルペダルに足があることを検知するようにしたことを特徴とする自動車のアクセル誤操作防止警報装置。
【請求項２】
フロントドアとリヤドアとの間のセンターピラーに音声で警告を発するスピーカを取付けたことを特徴とする自動車のアクセル誤操作防止警報装置。
【請求項３】
自動変速機のシフトポジションがリバースポジションまたはドライブポジションで、停止状態から車速が２０ｋｍ／ｈ迄で、しかもドライバーの足がアクセルペダルにある状態でスピーカからの警告音声が出るように設定され、車速が２０ｋｍ／ｈ以上になるとスピーカからの警告音声は無くなることを特徴とする自動車のアクセル誤操作防止警報装置。
【発明の詳細な説明】
【技術分野】
【０００１】  本発明は、高齢者やクルマに不慣れなドライバーの運転による自動変速機付自動車のアクセルペダルとブレーキペダルの踏み間違え防止警報装置に関する。
【背景技術】
【０００２】  従来、自動変速機付自動車の誤操作防止策としては、停止状態でブレーキを踏んでいないとパーキングポジション（Ｐポジション）からリバースポジション（Ｒポジション）、ニュートラルポジション（Ｎポジション）またはドライブポジション（Ｄポジション）に切り替えができない様になっているが、これは自動車の飛び出しを防止するだけのものである。高齢者やクルマに不慣れなドライバーが自動変速機のギヤがＲポジションまたはＤポジションにあって、アクセルペダルとブレーキペダルを勘違いから起こる踏み間違いに対しては何ら防止が図られていないのが現状である。
【発明の開示】
【発明が解決しようとする課題】
【０００３】  上述の如く、現在市販されている自動変速機付自動車のほとんどが、高齢車やクルマに不慣れなドライバーがブレーキペダルとアクセルペダルを勘違いによって踏み間違いをしても気が付かず咄嗟に発進してしまう恐れがある。本発明はこのような点に鑑みて成されたもので、その目的は、高齢者やクルマに不慣れなドライバーがブレーキペダルとアクセルペダルの踏み間違いをなくすことで、安価で且つ安全に自動車を運転できるようにすることである。
【課題を解決するための手段】
【０００４】  上述の目的を達成するために、従来の自動車のアクセルペダルとアクセルペダルの上にあるダッシュボードとの間を結ぶ線上に光電センサーを配設し、該センサー及びシフトポジションや車速の信号によって、アクセルペダル上にドライバーの足がある場合、ドライバーの耳元に近いセンターピラーに設けられたスピーカから音声にて警告を発することによってドライバーに注意を促すことを特徴としている。
【発明の効果】
【０００５】  以上説明したように本発明によれば、高齢者やクルマに不慣れなドライバーが自動変速機付自動車を運転した場合、ＲポジションまたはＤポジションにギヤが入っていて、アクセルペダルにドライバーの足が掛かっていると音声によって警告が発せられるようにしたので、ドライバーは自分の足がアクセルペダルの上にあることを容易に認識することができ、且つ安価でできるためにドライバーの勘違いによるブレーキペダルとアクセルペダル誤操作防止に対しては極めて有効である。
【発明を実施するための最良の形態】
【０００６】  以下に本発明の実施の形態を図面に基づき詳細に説明する。【０００７】  図１及び図２は本発明の第１の実施の形態に係り、図１はダッシュボード上に光電センサーを取り付けた外観図、図２はアクセルペダルにドライバーの足が掛けられ光電センサーの光線が遮断されたところの外観図である。【０００８】  図１に示すように、アクセルペダル５とアクセルペダル５の上部にあるダッシュボード２を光線４の直線が結ぶ範囲に光電センサー３を取り付け、図２に見られるように、ドライバー７の足８がアクセルペダル５にあると光電センサー３の光線４が途中で遮断されたことを検知し、信号を電子制御装置（ＥＣＵ）に送信する。【０００９】  図３は本発明の第２の実施の形態に係り、フロントドア１１とリヤドア１２との間のセンターピラー１０のドライバーの耳元に近いところに警告音声を発するスピーカ９を取付けた外観図である。【００１０】  図４は本発明の第３の実施の形態に係り、警告音声を発生するための情報処理のシステム図である。【００１１】  図４に見られるように、スピーカからの警告は光電センサーからの光線の遮断の有無、自動変速機のシフトポジション及び車速の情報を電子制御装置にて処理し発せられる。【００１２】  自動変速機のシフトポジションがＲポジションまたはＤポジションで、停止状態から車速が２０ｋｍ／ｈ迄で、しかもドライバーの足がアクセルペダルにある状態、すなわち光電センサーの光線が遮断されている状態でスピーカからの警告はＯＮ状態となるよう設定されている。この様な情報処理によって車速が２０ｋｍ／ｈ以上になるとスピーカからの警告音声は無く静かにドライブをすることができる。
【産業上の利用可能性】
【００１３】  本発明は自動車及びセンサーを製造、販売する産業分野で利用することができる。
【図面の簡単な説明】
【００１４】
【図１】  図１はダッシュボード上に光電センサーを取り付けた外観図である。
【図２】  図２はアクセルペダルにドライバーの足が掛けられ光電センサーの光線が遮断されたところの外観図である。
【図３】  図３はセンターピラーのドライバーの耳元に近いところに警告音声を発するスピーカを取付けた外観図である。
【図４】  図４は警告音声を発生するための情報処理のシステム図である。
【符号の説明】
１：ドライバーズシート
２：ダッシュボード
３：光電センサー
４：光線
５：アクセルペダル
６：アクセルワイヤ
７：ドライバー
８：足
９：スピーカ
１０：センターピラー
１１：フロントドア
１２：リヤドア
１３：リヤシート
１４：ハンドル
【図１】
2008150011.tif 000003
【図２】
2008150011.tif 000004
【図３】
2008150011.tif 000005
【図４】
2008150011.tif 000006
(57)【要約】【課題】水深、潮流、ロープの長さにより繋留効果が充分生かせないとき、角度変更が可能な爪を設けた錨を提供する。【解決手段】フレーム（３）の左右に角度調節ホール１（８）、角度調節ホール２（９）を設け、可動部支点（６）によって留められた爪（４）を、角度調節ピン（７）の挿入位置によって角度を変えることができる錨を特徴とする。【選択図】図２
2008150010.tif 000002
【特許請求の範囲】
【請求項１】
船舶繋留を目的とし、角度の変更が可能な爪（４）と、折り畳みが可能な本体（１）とで構成される錨。
【発明の詳細な説明】
【技術分野】
【０００１】この発明は船舶用錨に関するものである。
【背景技術】
【０００２】従来、錨の爪の角度は固定式、折りたたみ式に係らず一定であった。
【発明の開示】
【発明が解決しようとする課題】
【０００３】水深、潮流、ロープの長さ等により繋留効果が充分生かせなかった。本発明は以上のような欠点をなくすためになされたものである。
【課題を解決するための手段】
【０００４】角度の変更が可能な爪（４）と、折り畳みが可能な本体（１）とで構成される。
【発明の効果】
【０００５】爪（４）の角度を変えることにより、水深、潮流、ロープの長さに応じた使い方ができ、繋留効果を高めることができる。
【発明を実施するための最良の形態】
【０００６】  以下、本発明を実施するための最良の形態について説明する。
フレーム（３）の左右に角度調節ホール１（８）、角度調節ホール２（９）を設け、可動部支点（６）によって留められた爪（４）を、角度調節ピン（７）の挿入位置によって角度を変えることができる。
本発明は、以上のような構造である。
これを使用するときは、通常は角度調節ホール１（８）に、角度調節ピン（７）を挿入する。水深、潮流、ロープの長さにより、より強力な繋留効果を求める場合は、［図２］作用図で示すように、角度調節ピン（７）を角度調節ホール２（９）に挿入し、爪（４）の作用角度を広げることにより、その目的を最大限生かせるものである。
【図面の簡単な説明】
【０００７】
【図１】本発明の全体図である。
【図２】本発明の作用図である。
【符号の説明】
【０００８】１  錨
２  胴部
３  フレーム
４  爪
５  ストック受
６  可動部支点
７  角度調整ピン
８  角度調整ホール１
９  角度調節ホール２
１０  開閉調節ピン
１１  ストック
【図１】
2008150010.tif 000003
【図２】
2008150010.tif 000004
(57)【要約】【課題】電池が完全に切れるまでに利用者に電池切れが近いことを知らせ、電池を有効に利用できるようにした電池錠を提供する。【解決手段】収納ボックスの扉側に取り付けられる電池錠で、この電池錠の前面には０〜９までの数字キーと、入力キーと、設定キーを備えてなるキーボード５および収納ボックスに対して施錠・解錠される錠６を操作するつまみ、内蔵された電池８の残量が少なくなったときに点滅するランプ９、さらには９Ｖの角電池の端子を接続し得る接続端子１０が配置されており、また、電池錠の内部には前記キーボード５および錠６、ランプ９に繋がる演算処理部１２とこの演算処理部１２に繋がる記憶部１３が設けられており、演算処理部１２には前記内蔵された電池８の電圧測定部を有し、前記接続端子１０は演算処理部１２に繋がれている。【選択図】図２
2008150880.tif 000002
【特許請求の範囲】
【請求項１】
収納ボックスの扉側に取り付けられる電池錠で、この電池錠の前面には０〜９までの数字キーと、入力キーと、設定キーを備えてなるキーボードおよび収納ボックスに対して施錠・解錠される錠を操作するつまみ、内蔵された電池の残量が少なくなったときに点滅するランプ、さらには９Ｖの角電池の端子を接続し得る接続端子が配置されており、また、電池錠の内部には前記キーボードおよび錠、ランプに繋がる演算処理部とこの演算処理部に繋がる記憶部が設けられており、演算処理部には前記内蔵された電池の電圧測定部を有し、前記接続端子は演算処理部に繋がれていることを特徴とする電池錠。
【発明の詳細な説明】
【技術分野】
【０００１】
本発明は、マンションの入口などに設けられる宅配ボックスや集合ポスト、ホテルの室内に配備されるキーボックスなどの収納ボックスの扉に取り付けられる電池錠に関するものである。
【背景技術】
【０００２】
従来のこの種電池錠としてはキー操作により演算処理されて施錠・解錠を行なうようにしたものが一般的に知られている。このような電池錠の電源は電池であるが、電池の残量が少なくなるのを見計らって新しい電池と交換しているのが現状である。
【発明の開示】
【発明が解決しようとする課題】
【０００３】
つまり、従来の場合、電池錠が施錠状態で電池切れが起きると、電池錠を壊すか、収納ボックスの扉を壊すかしなければ収納ボックスの扉を開けることができないという問題があり、このような事態が起きないようにするために電池の残量が多少あっても新しい電池と取り替えており、電池を無駄に捨てているのが現状である。
【０００４】
本発明の目的は、このような課題を解決するものであり、電池が完全に切れるまでに利用者に電池切れが近いことを知らせ、電池を有効に利用できるようにした電池錠を提供することにある。
【課題を解決するための手段】
【０００５】
本発明の請求項１に記載の電池錠は、収納ボックスの扉側に取り付けられる電池錠で、この電池錠の前面には０〜９までの数字キーと、入力キーと、設定キーを備えてなるキーボードおよび収納ボックスに対して施錠・解錠される錠を操作するつまみ、内蔵された電池の残量が少なくなったときに点滅するランプ、さらには９Ｖの角電池の端子を接続し得る接続端子が配置されており、また、電池錠の内部には前記キーボードおよび錠、ランプに繋がる演算処理部とこの演算処理部に繋がる記憶部が設けられており、演算処理部には前記内蔵された電池の電圧測定部を有し、前記接続端子は演算処理部に繋がれていることを特徴とする。
【発明の効果】
【０００６】
以上のように、本発明の電池錠は、電池が完全に切れるまでに利用者に電池切れが近いこと、すなわち電池交換時期を知らせ、電池を有効に利用できるようにした電池錠を提供することができる。また、電池交換時期を忘れて内蔵された電池の残量が完全に無くなったときは接続端子に９Ｖの角電池の端子を接続することにより機能が復帰して、扉が施錠されていても解錠することができるものである。
【発明を実施するための最良の形態】
【０００７】
以下、本発明の一実施の形態を、図１〜図２を用いて具体的に説明する。
図において、１は収納ボックスの扉側に取り付けられる電池錠で、この電池錠１の前面には０〜９までの数字キー２と、入力キー３と、設定キー４とからなるキーボード５および収納ボックスに対して施錠・解錠される錠６を操作する回転式のつまみ７、内蔵された電池８の残量が少なくなったときに点滅するランプ９、さらには９Ｖの角電池の端子を接続し得る＋，−の２つの接続端子１０が配置されている。なお、前記ランプ９は前記２つの各接続端子１０の中央部に位置するように設けられている。また、この電池錠１の内部には前記キーボード５の操作により正か誤か音を区別させて発するブザー１１が設けられている。そして、電池錠１の内部には前記キーボード５および錠６、ランプ９、ブザー１１に繋がる演算処理部１２とこの演算処理部１２に繋がる記憶部１３が設けられている。なお、演算処理部１２には前記内蔵された電池８の電圧測定部を有し、前記接続端子１０は演算処理部１２に繋がれている。
【０００８】
上記構成において、電池錠１を施錠操作するときは先ず入力キー３を押してつまみ７を「閉」から「開」に回し、収納ボックスの扉を開けて収納ボックス内に荷物を入れる。その後、扉を閉じてつまみ７を「開」から「閉」に回して錠６を収納ボックスに対して施錠させる。次に、設定キー４を押し、暗証番号４桁を数字キー２で設定する。その後、入力キー３を押すことにより収納ボックスに対して錠６の施錠状態を保持できる。
【０００９】
次に、電池錠１を解錠操作するときは先ず入力キー３を押し、暗証番号４桁の数字キー２を押した後、もう一度入力キー３を押すことにより錠６は解錠され、つまみ７を「閉」から「開」に回して扉を開けることができる。
【００１０】
ところで、内蔵された電池８の残量が少なくなったときは、操作する際に２つのランプ９の内、少なくとも何れか１つが点滅するようになっている。このランプ９の点滅により利用者に電池切れが近いこと、すなわち電池交換時期を知らせるようになっている。そして、この電池交換時期を忘れて内蔵された電池８の残量が完全に無くなったときは前記接続端子１０に９Ｖの角電池の端子を接続することにより機能が復帰して、扉が施錠されていても解錠することができる。
【００１１】
なお、上記実施の形態では４桁の数字キー２で暗証番号を押すようになっているが、暗証番号の桁数は４桁に限定されるものではない。さらに、暗証番号を設定した利用者が暗証番号を忘れて利用者が錠６を解錠できないときのために、管理者が記録している固定の暗証番号で錠６を解錠することができるようにすることも可能である。
【図面の簡単な説明】
【００１２】
【図１】本発明の一実施の形態における電池錠の正面図である。
【図２】同電池錠のブロック図である。
【符号の説明】
【００１３】
１    電池錠
２    数字キー
３    入力キー
４    設定キー
５    キーボード
６    錠
７    つまみ
８    電池
９    ランプ
１０    接続端子
１１    ブザー
１２    演算処理部
１３    記憶部
【図１】
2008150880.tif 000003
【図２】
2008150880.tif 000004